(57)【要約】【課題】光ピックアップ装置において、光学レンズの光軸の方向を変化させることなく、簡単に光学レンズの光軸方向の位置を調整可能にする。【解決手段】光ピックアップ装置ＰＵＨは、レンズホルダ２０ａを保持するレンズホルダ保持体３０を有する。レンズホルダ保持体３０には、略Ｌ字形状の第１レンズホルダ取付部３２ａが形成されている。第１レンズホルダ取付部３２ａには、略Ｌ字形状の支持プレート３３が取り付けられている。第１レンズホルダ取付部３２ａと支持プレート３３との間には、薄板材３７が介装されており、収差補正用レンズの光軸の方向が調整された状態で支持プレート３３が取り付けられている。レンズホルダ２０ａは、押さえ板３８ａにより支持プレート３３に押し当てられた状態で保持されるとともに、支持プレート３３に沿って摺動する。【選択図】  図１
2006172666.tif 000002
【特許請求の範囲】
【請求項１】
光学レンズを保持するレンズホルダと、
前記レンズホルダをレンズホルダ取付部に押し当てる押さえ板とを備え、
前記レンズホルダを、前記光学レンズの光軸方向に位置調整可能な状態で前記レンズホルダ取付部に取り付けた光ピックアップ装置において、
前記レンズホルダ取付部と前記レンズホルダとの間に位置して、前記光学レンズの光軸の方向を調整可能に前記レンズホルダ取付部に取り付けられ、前記レンズホルダ取付部に取り付けられた状態で前記光学レンズの光軸方向を一定に保ったまま前記レンズホルダを前記光学レンズの光軸方向に摺動可能とする支持プレートを設けたことを特徴とする光ピックアップ装置。
【請求項２】
請求項１に記載の光ピックアップ装置において、
前記支持プレートは、互いに交差する第１および第２の垂直平面部を有する光ピックアップ装置。
【請求項３】
請求項１または請求項２に記載の光ピックアップ装置において、
前記レンズホルダは、円筒形状である光ピックアップ装置。
【請求項４】
請求項１ないし請求項３のうちのいずれか１つに記載の光ピックアップ装置において、
前記支持プレートと前記レンズホルダ取付部との間に、前記光学レンズの光軸の方向を調整するための薄板材を介装して、前記支持プレートを前記レンズホルダ取付部にねじ止めにより取り付けた光ピックアップ装置。
【請求項５】
請求項１ないし請求項３のうちのいずれか１つに記載の光ピックアップ装置において、
前記光学レンズの光軸の方向を調整するための光軸調整ねじを、その先端部を前記レンズホルダ取付部および前記支持プレートの少なくとも一方から他方に向けて突出させるとともに、その先端部の突出量を調整可能に設け、前記支持プレートを前記レンズホルダ取付部にねじ止めにより取り付けた光ピックアップ装置。
【請求項６】
光学レンズを保持するレンズホルダを光ピックアップ装置のレンズホルダ取付部に押さえ板により取り付ける光ピックアップ装置におけるレンズホルダ取付方法において、
前記レンズホルダを前記光学レンズの光軸方向に摺動可能に支持する支持プレートを、前記レンズホルダ取付部に取り付けた後、
前記レンズホルダを押さえ板により前記支持プレートに押し当てて取り付け、
前記光学レンズの光軸の方向を調整するために、前記支持プレートの前記レンズホルダ取付部に対する傾きを調整し、
前記光学レンズの光軸方向における位置を調整するために、前記レンズホルダの前記支持プレートに対する前記光軸方向の位置を位置決めする光ピックアップ装置におけるレンズホルダ取付方法。
【請求項７】
請求項６に記載の光ピックアップ装置におけるレンズホルダ取付方法において、
前記支持プレートは、互いに交差する第１および第２の垂直平面部を有する光ピックアップ装置におけるレンズホルダ取付方法。
【請求項８】
請求項６または請求項７に記載の光ピックアップ装置におけるレンズホルダ取付方法において、
前記レンズホルダは、円筒形状である光ピックアップ装置におけるレンズホルダ取付方法。
【請求項９】
請求項６ないし請求項８のうちのいずれか１つに記載の光ピックアップ装置におけるレンズホルダ取付方法において、
前記レンズホルダ取付部と前記支持プレートとの間に、薄板材を介装して前記光学レンズの光軸の方向を調整し、前記支持プレートを前記レンズホルダ取付部にねじ止めにより取り付ける光ピックアップ装置におけるレンズホルダ取付方法。
【請求項１０】
請求項６ないし請求項８のうちのいずれか１つに記載の光ピックアップ装置におけるレンズホルダ取付方法において、
前記光学レンズの光軸の方向を調整するための光軸調整ねじを、その先端部を前記レンズホルダ取付部および前記支持プレートの少なくとも一方から他方に向けて突出させるとともに、その先端部の突出量を調整して前記光学レンズの光軸の方向を調整した後、前記支持プレートを前記レンズホルダ取付部にねじ止めにより取り付ける光ピックアップ装置におけるレンズホルダ取付方法。
【発明の詳細な説明】
【技術分野】
【０００１】
本発明は、レーザ光を用いてＣＤ，ＤＶＤなどの光ディスクに信号を記録し、または光ディスクに記録された信号を再生する光ピックアップ装置に関する。
【背景技術】
【０００２】
一般に、ＣＤ，ＤＶＤなどの光ディスクに信号を記録し、または光ディスクに記録された信号を再生するために光ピックアップ装置が用いられている。この種の光ピックアップ装置は、レーザ光源から出射されたレーザ光が光ディスクの記録層に照射されるまでと、光ディスクの記録層で反射した反射光が受光素子に入射するまでに多くの光学部品を通過するように構成されている。これらの光学部品は、光ピックアップ装置内において所定の整列順序で所定の位置に位置決めされている。
【０００３】
このような光学部品のうち、コリメートレンズ、エキスパンダレンズなどの光学レンズもそれぞれ光軸方向の位置および光軸の方向が調整されて配置されている。例えば、下記特許文献１に記載の光ピックアップ装置においては、略Ｌ字状に形成されたベースの内側２つの壁面に対して、光学レンズを保持するレンズホルダを弾性体からなる押圧片によって押し当てて保持している。そして、光学レンズの光軸方向の位置を調整する場合には、押圧片によるレンズホルダを保持する力を弱めた状態で、レンズホルダを光軸方向に摺動させて所定の位置に調整している。
【特許文献１】特開平１１−１０２５２５号公報
【０００４】
一方、光学レンズの光軸の方向を調整する場合については、上記特許文献１には言及されていないが、この場合、レンズホルダとベースとの間に薄板材を介装し、同薄板材の厚さを適宜調整することにより光学レンズの光軸の方向を調整することが考えられる。また、ベースのレンズホルダ取付面からレンズホルダ側に向けて先端部が突出する光軸調整ねじを設け、同光軸調整ねじの先端部の突出量を適宜調整してレンズホルダを同光軸調整ねじの先端部に押し当てることにより光学レンズの光軸の方向を調整することも考えられる。
【発明の開示】
【発明が解決しようとする課題】
【０００５】
しかしながら、光学レンズの中には頻繁に光軸方向の位置を調整する必要があるものがある。例えば、エキスパンダレンズは、光ディスクからの反射光の球面収差を補正するための複数の収差補正用レンズから構成されており、使用する光ディスクの種類または光ディスクの透明基板の厚さ誤差に応じて同収差補正用レンズの光軸上の位置を適宜調整する必要がある。
【０００６】
この場合、上記したレンズホルダとベースとの間に薄板材を介装した光ピックアップ装置においては、レンズホルダを光軸方向に変位させる際、同薄板材の位置も変位して光学レンズの光軸の方向もずれてしまうという問題がある。また、同薄板材の位置の変位に注意しながらレンズホルダの位置を調整する作業は、作業性が悪いという問題もある。一方、光軸調整ねじを備えた光ピックアップ装置においては、繰り返しレンズホルダの光軸方向の位置調整が行われることによって、レンズホルダおよび光軸調整ねじにおける互いの接触面がそれぞれ磨耗して光学レンズの光軸の方向がずれてしまうという問題がある。
【０００７】
本発明は上記問題に対処するためなされたもので、その目的は、光ピックアップ装置に内蔵される光学レンズの光軸方向の位置を調整する際、同光学レンズの光軸の方向を変化させることなく、簡単に光学レンズの光軸方向の位置調整を行うことができる光ピックアップ装置を提供することにある。
【課題を解決するための手段】
【０００８】
前記目的を達成するため、本発明の特徴は、光学レンズを保持するレンズホルダと、レンズホルダをレンズホルダ取付部に押し当てる押さえ板とを備え、レンズホルダを、光学レンズの光軸方向に位置調整可能な状態でレンズホルダ取付部に取り付けた光ピックアップ装置において、レンズホルダ取付部とレンズホルダとの間に位置して、光学レンズの光軸の方向を調整可能にレンズホルダ取付部に取り付けられ、レンズホルダ取付部に取り付けられた状態で光学レンズの光軸方向を一定に保ったままレンズホルダを光学レンズの光軸方向に摺動可能とする支持プレートを設けたことにある。
【０００９】
この場合、前記支持プレートを、例えば、互いに交差する第１および第２の垂直平面部を有するようにするとよい。また、前記レンズホルダを、例えば、円筒形状にするとよい。さらに、前記支持プレートと前記レンズホルダ取付部との間に、光学レンズの光軸の方向を調整するための薄板材を介装して、支持プレートをレンズホルダ取付部にねじ止めにより取り付けるようにするとよい。この場合、薄板材は、所定の厚さの薄板材を１枚だけ介装してもよいし、それぞれ異なる厚さの薄板材を複数枚介装するようにしてもよい。
【００１０】
また、光学レンズの光軸の方向を調整するための光軸調整ねじを、その先端部を前記レンズホルダ取付部および前記支持プレートの少なくとも一方から他方に向けて突出させるとともに、その先端部の突出量を調整可能に設け、支持プレートをレンズホルダ取付部にねじ止めにより取り付けるようにしてもよい。
【発明の効果】
【００１１】
このように構成した本発明によれば、レンズホルダは、支持プレートに沿って摺動する。この場合、支持プレートはレンズホルダ取付部に取り付けられているため支持プレートの位置は変化しない。これにより、支持プレートとレンズホルダ取付部との間に介装された薄板材の位置が変化しないとともに、同薄板材の厚さが磨耗により変化することもない。また、支持プレートと光軸調整ねじの先端部との互いの接触面が磨耗により変化することもない。この結果、レンズホルダは、支持プレートに沿って光学レンズの光軸方向に対してのみ変位することができる。
【００１２】
また、本発明は装置の発明として実施できるばかりでなく、方法の発明としても実施できるものである。
【発明を実施するための最良の形態】
【００１３】
以下、本発明に係る光ピックアップ装置の一実施形態について図面を参照しながら説明する。図１は、ＣＤ，ＤＶＤなどの光ディスクにレーザ光を照射して信号の記録および再生を行う光ピックアップ装置ＰＵＨの全体斜視図である。この光ピックアップ装置ＰＵＨは、図示しない光ディスク検査装置の所定の位置に配置されている。光ディスク検査装置は、光ディスクの各種評価を行う装置である。
【００１４】
光ピックアップ装置ＰＵＨは、光ピックアップ本体１０上に、レンズホルダ２０ａ，２０ｂを保持するレンズホルダ保持体３０および対物レンズ５０を支持する対物レンズユニット６０が組み付けられて一体的に構成されている。光ピックアップ本体１０は、直方体状に成形されており、その内部にそれぞれ図示しないレーザダイオード、コリメートレンズ、反射ミラー、偏光ビームスプリッタ、立上ミラーおよびフォトディテクタなどの各種光学部品を備えている。
【００１５】
これらの各種光学部品は、光ピックアップ本体１０の内部において、所定の整列順序で所定の位置に配置されている。すなわち、この光ピックアップ本体１０は、レーザダイオードから出射されるレーザ光を後述するレンズホルダ保持体３０および対物レンズユニット６０に導いて図示しない光ディスク上に照射する。そして、対物レンズユニット６０およびレンズホルダ保持体３０を介して導かれる同光ディスクからの反射光をフォトディテクタに導いている。フォトディテクタは、受光した光ディスクからの反射光の光量に応じた受光信号を出力する。
【００１６】
レンズホルダ２０ａ，２０ｂは、図示しないエキスパンダレンズをそれぞれ保持する円筒状のホルダである。レンズホルダ２０ａは、１つの円筒体からなり、同円筒体の内部にエキスパンダレンズが装着されて構成されている。また、レンズホルダ２０ｂは、円筒状の外筒の内部に、エキスパンダレンズが装着された円筒状の内筒が軸方向に摺動可能な状態で嵌め込まれて構成されている。内筒の全長は、外筒の全長よりも長く形成されている。このため、外筒の上面から内筒の上部が突出して設けられている。エキスパンダレンズは、光ディスクからの反射光の球面収差を補正するための複数の収差補正用レンズから構成されており、検査対象となる光ディスクの種類または光ディスクの透明基板の厚さ誤差に応じて同収差補正用レンズの光軸上の位置が適宜調整されて配置される。本実施形態においては、２つの収差補正用レンズからなるエキスパンダレンズを用いる。したがって、レンズホルダ２０ａ，２０ｂには、それぞれ１つずつ収差補正用レンズが装着されている。
【００１７】
レンズホルダ保持体３０は、レンズホルダ２０ａ，２０ｂをそれぞれ保持する保持部材であり、光ピックアップ本体１０の上面における図示左後方部に組み付けられている。このレンズホルダ保持体３０を、図２および図３に詳しく示す。図２は、レンズホルダ保持体３０の正面図である。図３は、図２の３−３線に沿って見た断面図である。
【００１８】
レンズホルダ保持体３０は、正面側を開口させて平断面コ字状に形成された柱状の保持本体３１を備えている。保持体３１の右後方角部（図３において右上側）には、上面から略垂直方向に前記レンズホルダ２０ａの全長よりやや長い略Ｌ字状（矩形状）に切り欠いたことにより窪んだ形状の第１レンズホルダ取付部３２ａが形成されている。この第１レンズホルダ取付部３２ａは、互いに直交する垂直な２つの壁面を有する。また、同右後方角部における第１レンズホルダ取付部３２ａの下方には、前記垂直な２つの壁面と略平行に垂直方向に延びた２つの壁面からなる略Ｌ字形状の第２レンズホルダ取付部３２ｂが形成されている。この第２レンズホルダ取付部３２ｂの２つの壁面は、光ピックアップ本体１０から垂直方向に出射されるレーザ光の光軸に平行となるように精度良く成形されている。
【００１９】
保持本体３１の背面には、同背面と対向する第１レンズホルダ取付部３２ａの壁面まで貫通する貫通孔３１ａ，３１ｂがそれぞれ保持本体３１の上下方向に並んで設けられている。また、保持本体３１の右側面には、モータ３４が設けれており、モータ３４の駆動軸３４ａが、保持本体３１の右側面に対向する第２レンズホルダ取付部３２ｂの壁面まで貫通している。駆動軸３４ａの先端には、保持部３５を介して前記レンズホルダ２０ｂの内筒の上部が組付けられている。保持部３５は、モータ３４の回転方向に応じてレンズホルダ２０ｂの内筒を軸方向（図示上下方向）に移動させる移動機構を備えている。したがって、モータ３４が回転駆動されることによって、レンズホルダ２０ｂの内筒が外筒に対して軸方向に変位する。
【００２０】
第１レンズホルダ取付部３２ａには、レンズホルダ２０ａを保持する支持プレート３３が取り付けられている。支持プレート３３は、第１平面部３３ａと第２平面部３３ｂが直角に交差した平断面形状略Ｌ字状の部材であり、第１レンズホルダ取付部３２ａの形状に対応している。支持プレート３３には、前記貫通孔３１ａ，３１ｂに対応する位置で第１平面部３３ａに開口するねじ孔３３ｃ，３３ｄがそれぞれ設けられている。そして、支持プレート３３は、ねじ孔３３ｃ，３３ｄおよび貫通孔３１ａ，３１ｂを貫通するプレート取付ねじ３６ａ，３６ｂにより取り付けられている。
【００２１】
この場合、第１レンズホルダ取付部３２ａと支持プレート３３との間には、薄板材３７が介装されている。薄板材３７は、アルミニウム材からなる極めて薄い板材である。この薄板材３７は、支持プレート３３にレンズホルダ２０ａを保持させた際、レンズホルダ２０ａに保持された収差補正用レンズの光軸の位置および方向が光ピックアップ本体１０から出射されるレーザ光の光軸と一致するように支持プレート３３の取付位置および傾きを調整するものである。すなわち、薄板材３７は、支持プレート３３の前後方向の位置および傾きが所定の位置および傾きとなるように第１平面部３３ａと同第１平面部３３ａに対向する第１レンズホルダ取付部３２ａの壁面との間に所定量だけ介装（図においては２枚）されているとともに、支持プレート３３の左右方向の位置および傾きが所定の位置および傾きとなるように第２平面部３３ｂと同第２平面部３３ｂに対向する第１レンズホルダ取付部３２ａの壁面との間に所定量だけ介装（図においては１枚）されている。
【００２２】
支持プレート３３の第１平面部３３ａおよび第２平面部３３ｂには、レンズホルダ２０ａが後述する押さえ板３８ａにより押し当てられた状態で保持される。また、同支持プレート３３の下方の保持本体３１の第２レンズホルダ取付部３２ｂには、レンズホルダ２０ｂが後述する押さえ板３８ｂにより押し当てられた状態で保持される。すなわち、レンズホルダ２０ａ，２０ｂは、光ピックアップ本体１０から出射されるレーザ光の光軸方向に一列に配置され、レンズホルダ２０ａは、支持プレート３３と押さえ板３８ａとによって挟まれた状態で保持され、レンズホルダ２０ｂは、保持本体３１と押さえ板３８ｂとによって挟まれた状態で保持される。
【００２３】
押さえ板３８ａ，３８ｂは、板バネにより構成され、レンズホルダ２０ａ，２０ｂをそれぞれ支持プレート３３および保持本体３１の第２レンズホルダ取付部３２ｂに押し当てる。押さえ板３８ａ，３８ｂの両端部は、それぞれ取付ねじ３９ａ，３９ｂにより保持本体３１に取り付けられる。これにより、押さえ板３８ａ，３８ｂの略中央部が、レンズホルダ２０ａ，２０ｂの各外周面に弾性的に押し当てられ、レンズホルダ２０ａ，２０ｂが支持プレート３３および保持本体３１の第２レンズホルダ取付部３２ｂにそれぞれ押し当てられて保持される。なお、本実施例においては、押さえ板３８ａを取付ねじ３９ａ，３９ｂにより保持本体３１に取り付けたが、支持プレート３３に取り付けるように構成してもよい。
【００２４】
保持本体３１の下面には、長方形状の底板４０ａが形成されており、同底板４０が前記光ピックアップ本体１０上に取り付けられている。底板４０ａにおける前記保持本体３１に保持されるレンズホルダ２０ｂの下方部分には、保持体３１のコ字状に囲まれた領域と略同じ大きさの孔が設けられており、光ピックアップ本体１０から出射されるレーザ光がレンズホルダ２０ａ，２０ｂに導かれるとともに、光ディスクからの反射光がレンズホルダ２０ａ，２０ｂを介して光ピックアップ本体１０内に導かれるようになっている。
【００２５】
また、保持本体３１の上面には、長方形状の天板４０ｂが形成されている。天板４０ｂには、レンズホルダ２０ａの上方に略円弧状の開口部４１が設けられている。この天板４０ｂ上には、開口部４１を覆う状態で、１／４波長板を取り付けた薄状のユニット（図示せず）を介して光ディスクの記録層上に光スポットを形成する光学レンズとしての対物レンズ５０を備える対物レンズユニット６０が着脱可能に取り付けられている。これにより、レンズホルダ２０ｂ，２０ａを通過するレーザ光が対物レンズ５０を介して光ディスクに導かれるとともに、同光ディスクからの反射光が、対物レンズ５０を介してレンズホルダ２０ａ，２０ｂに導かれるようになっている。
【００２６】
対物レンズユニット６０は、対物レンズ５０をフォーカシングおよびトラッキング可能な状態で支持する筐体である。この対物レンズユニット６０は、対物レンズ５０をフォーカシングおよびトラッキングさせるために、図示しないフォーカスアクチュエータおよびトラッキングアクチュエータも備えている。対物レンズ５０のフォーカスサーボ制御およびトラックサーボ制御の詳細については、本発明に直接関わらないので説明を省略する。
【００２７】
ここで、レンズホルダ保持体３０に対する支持プレート３３およびレンズホルダ２０ａ，２０ｂの組付けについて説明する。まず、レンズ保持体３０、支持プレート３３およびレンズホルダ２０ａ，２０ｂを用意する。レンズホルダ２０ａ，２０ｂには、それぞれ収差補正用レンズが装着されている。そして、レンズホルダ保持体３０の第１レンズホルダ取付部３２ａに支持プレート３３をプレート取付ねじ３６ａ，３６ｂにより仮止めする。
【００２８】
次に、レンズホルダ２０ｂを保持本体３１の第２レンズホルダ取付部３２ｂに取り付ける。具体的には、第２レンズホルダ取付部３２ｂにレンズホルダ２０ｂの外筒を押し当てた状態で押さえ板３８ｂを保持本体３１に取付ねじ３９ａ，３９ｂによって取り付ける。そして、レンズホルダ２０ｂの内筒の上部を保持部３５に取り付ける。この場合、光ピックアップ本体１０から出射されるレーザ光は、光ピックアップ本体１０の上面に対して垂直になるよう予め調整されている。また、第２レンズホルダ取付部３２ｂのレンズホルダ２０ｂが押し当てられる２つの壁面は、光ピックアップ本体１０の上面に対して垂直になるように成形されているため、レンズホルダ２０ｂに保持されている収差補正用レンズの光軸も前記レーザ光の光軸に対して平行な状態で取り付けられる。
【００２９】
次に、レンズホルダ２０ａを支持プレート３３に取り付ける。具体的には、支持プレート３３にレンズホルダ２０ａを押し当てた状態で押さえ板３８ａを保持本体３１に取付ねじ３９ａ，３９ｂによって取り付ける。そして、支持プレート３３と第１レンズホルダ取付部３２ａとの間に薄板材３７を所定量介装するとともに、プレート取付ねじ３６ａ，３６ｂの締め具合を調整しながら、レンズホルダ２０ａに保持されている収差補正用レンズの光軸が光ピックアップ本体１０から出射されるレーザ光の光軸に平行となるように支持プレート３３を第１レンズホルダ取付部３２ｂに仮止めする。なお、支持プレート３３と第１レンズホルダ取付部３２ａとの間に介装される薄板材３７は、支持プレート３３の調整位置に応じて介装される位置および介装される枚数が決定される。また、レンズホルダ２０ａに装着されている収差補正用レンズの光軸の向きは図示しないオートコリメータで確認する。
【００３０】
次に、光ピックアップ本体１０の上面にレンズホルダ保持体３０を載せた状態で、光ピックアップ本体１０を図示しない干渉計にセットする。そして、光ピックアップ本体１０から出射されるレーザ光の光軸とレンズホルダ２０ｂが保持する収差補正レンズの光軸が一致するようにレンズホルダ保持体３０の位置を調整してレンズホルダ保持体３０を光ピックアップ本体１０の上面に組み付ける。
【００３１】
次に、光ピックアップ本体１０から出射されるレーザ光の光軸とレンズホルダ２０ａが保持する収差補正用レンズの光軸とを一致させる。具体的には、支持プレート３３の位置を図３における前後上下左右方向に変位させて行う。この場合、支持プレート３３と第１レンズホルダ取付部３２ａとの間に薄板材３７を所定量介装するとともに、プレート取付ねじ３６ａ，３６ｂの締め具合を調整しながら、支持プレート３３の位置決めを行う。これにより、レーザ光の光軸とレンズホルダ２０ａが保持する収差補正レンズの光軸とが一致する。なお、支持プレート３３と第１レンズホルダ取付部３２ａとの間に介装される薄板材３７は、支持プレート３３の調整位置に応じて介装される位置および介装される枚数が決定される。
【００３２】
以上により、レンズホルダ２０ａ，２０ｂがそれぞれ保持する収差補正用レンズの光軸とレーザ光の光軸とが一致した状態で、支持プレート３３が保持体３１に組み付けられたことになる。なお、このようにして組み付けられたレンズホルダ保持体３０には、１／４波長板を備える薄状のユニットを介してレンズホルダ２０ａ，２０ｂがそれぞれ保持する収差補正用レンズの光軸に対物レンズ５０の光軸を一致させた状態で、対物レンズユニット６０が組み付けられる。
【００３３】
このように構成された光ピックアップ装置ＰＵＨを使用するに際しては、光ピックアップ装置ＰＵＨを図示しない光ディスク検査装置の所定の位置にセットする。これにより、光ピックアップ装置ＰＵＨは、光ディスク検査装置と電気的に接続された状態となる。次に、検査対象であるＣＤ、ＤＶＤなどの光ディスクを光ディスク検査装置の所定の位置にセットして同光ディスクの検査を実行する。この場合、セットされた光ディスクの種類および光ディスクの透明基板の厚さに応じてレンズホルダ２０ａ，２０ｂの光軸方向における位置を調整する。すなわち、光ディスクの記録面から反射して戻ってきたレーザ光の球面収差が最小となる位置にレンズホルダ２０ａ，２０ｂを位置決めする。
【００３４】
具体的には、光ディスク検査装置の入力装置を操作してモータ３４を回転駆動させてレンズホルダ２０ｂの内筒を外筒の内周面に沿って摺動させて光軸方向の位置を変位させる。この場合、レンズホルダ２０ｂの内筒は、光ピックアップ本体１０から出射されるレーザ光の光軸上を変位するため、光ピックアップ本体１０から出射されるレーザ光の光軸に対して同内筒が保持するエキスパンダレンズの光軸がずれることはない。そして、レンズホルダ２０ｂの位置決めのみによっては球面収差を解消できない場合には、レンズホルダ２０ａの位置を微調整する。
【００３５】
具体的には、所定の治具を用いて、レンズホルダ２０ａを支持プレート３３に沿って摺動させて光軸方向の位置を変位させる。この場合、支持プレート３３は第１レンズホルダ取付部３２ａに取り付けられているため支持プレート３３の位置は変化しない。このため、支持プレート３３と第１レンズホルダ取付部３２ａとの間に介装された薄板材３７の位置が変化しないとともに、薄板材３７の厚さが磨耗により変化することもない。この結果、レンズホルダ２０ａは、支持プレート３３に沿って変位、すなわち光ピックアップ本体１０から出射されるレーザ光の光軸方向に対してのみ変位するとともに、レンズホルダ２０ａおよびレンズホルダ２０ｂがそれぞれ保持する収差補正用レンズの光軸がずれることがない。
【００３６】
このようにしてレンズホルダ２０ａ，２０ｂの光軸方向の位置が調整された後、光ディスクの検査が実行されるが、検査対象である光ディスクが交換される毎に同光ディスクに応じてレンズホルダ２０ａ，２０ｂの光軸方向の位置が調整されて検査が実行される。
【００３７】
次に、上記実施形態の変形例について説明する。図４は、同変形例に係る光ピックアップ装置ＰＵＨのレンズホルダ保持体３０の正面図である。図５は、図４の５−５線に沿って見た断面図である。
【００３８】
この変形例においては、薄板材３７に代えて４つの光軸調整ねじ４２ａ，４２ｂ，４３ａ，４３ｂを用いて支持プレート３３の図５における図示上下左右方向の位置および傾きを調整する。具体的には、保持本体３１の第１レンズホルダ取付部３２ａの２つの壁面からそれぞれ支持プレート３３の第１平面部３３ａおよび第２平面部３３ｂに向けて先端部が突出する光軸調整ねじ４２ａ，４２ｂ，４３ａ，４３ｂを設ける。光軸調整ねじ４２ａ，４２ｂ，４３ａ，４３ｂは、それぞれ第１レンズホルダ取付部３２ａの２つの壁面において、図示上下方向に一列に配置されて設けられており、第１レンズホルダ取付部３２ａの２つの壁面に対向する各壁面側から挿通されて各先端部が支持プレート３３の第１平面部３３ａおよび第２平面部３３ｂに押し当てられるようになっている。
【００３９】
これらの光軸調整ねじ４２ａ，４２ｂ，４３ａ，４３ｂは、作業者による回動操作により、第１レンズホルダ取付部３２ａの２つの壁面からそれぞれ突出する先端部の突出量を調整することができる。これにより支持プレート３３の図５における図示上下左右方向の位置および傾きを調整することができる。他の部分に関しては、上記実施形態と同様であるので説明を省略する。
【００４０】
上記のように構成した変形例においては、支持プレート３３に保持されたレンズホルダ２０ａが備える収差補正用レンズの光軸の位置および方向を調整する際、第１レンズホルダ取付部３２ａの２つの壁面からそれぞれ突出する光軸調整ねじ４２ａ，４２ｂ，４３ａ，４３ｂの各先端部の突出量を調整して支持プレート３３の図５における図示上下左右方向の位置および傾きを調整する。その結果、上記実施形態と同様な効果が期待できる。
【００４１】
さらに、本発明の実施にあたっては、上記実施形態に限定されるものではなく、本発明の目的を逸脱しない限りにおいて種々の変更が可能である。
【００４２】
例えば、上記実施形態およびその変形例においては、レンズホルダ２０ａ，２０ｂに装着した光学レンズをエキスパンダレンズとして説明した。しかし、これに限定されるものではなく、光ディスクに信号を記録しまたは光ディスクに記録された信号を再生するための光学系装置内の特定の光学素子の光軸上の位置を調整する場合であれば、エキスパンダレンズ以外の光学素子であってもよい。
【００４３】
また、上記実施形態およびその変形例においては、本発明に係る光ピックアップ装置ＰＵＨを光ディスクの各種検査を行う光ディスク検査装置に適用したが、これに限定されるものではない。光ディスクに信号を記録しまたは光ディスクに記録された信号を再生するための光学系装置であれば広く適用できるものである。
【００４４】
また、上記変形例においては、光軸調整ねじ４２ａ，４２ｂ，４３ａ，４３ｂが、保持本体３１の第１レンズホルダ取付部３２ａの２つの壁面からそれぞれ支持プレート３３の第１平面部３３ａおよび第２平面部３３ｂに向けて先端部が突出するように構成した。しかし、これに限定されるものではなく、支持プレート３３の第１平面部３３ａおよび第２平面部から保持本体３１の第１レンズホルダ取付部３２ａの２つの壁面に向けて先端部が突出するように構成してもよい。この場合、支持プレート３３にレンズホルダ２０ａが保持された状態で、光軸調整ねじ４２ａ，４２ｂ，４３ａ，４３ｂの回動操作が行えるようにする。例えば、レンズホルダ２０ａの全長より長く支持プレート３３を成形し、レンズホルダ２０ａが保持されても塞がれない位置に、光軸調整ねじ４２ａ，４２ｂ，４３ａ，４３ｂを配置するようにするとよい。
【図面の簡単な説明】
【００４５】
【図１】本発明の一実施形態に係る光ピックアップ装置の全体を示す斜視図である。
【図２】図１の光ピックアップ装置のレンズホルダ保持体の正面図である。
【図３】図２の３−３線から見たレンズホルダ保持体の一部破断平面図である。
【図４】本発明の変形例に係る光ピックアップ装置のレンズホルダ保持体の正面図である。
【図５】図４の５−５線から見たレンズホルダ保持体の一部破断平面図である。
【符号の説明】
【００４６】
ＰＵＨ…光ピックアップ装置、１０…光ピックアップ本体、２０ａ，２０ｂ…レンズホルダ、３０…レンズホルダ保持体、３１…保持本体、３２ａ…第１レンズホルダ取付部、３２ｂ…第２レンズホルダ取付部、３３…支持プレート、３３ａ…第１平面部、３３ｂ…第２平面部、３４…モータ、３５・・・保持部、３６ａ，３６ｂ…プレート取付ねじ、３７…薄板材、３８ａ，３８ｂ…押さえ板、６０…対物レンズユニット。
【図１】
2006172666.tif 000003
【図２】
2006172666.tif 000004
【図３】
2006172666.tif 000005
【図４】
2006172666.tif 000006
【図５】
2006172666.tif 000007